(57)【特許請求の範囲】
【請求項１】
ケース本体の収納域を画成する背面パネルを支持するとともに上下方向に所定間隔で係止孔が形成された支柱に対し、自身の係止片が所定の係止孔に挿入されることで該支柱に支持される左右一対のブラケットと、
自身の横フレーム部が左右のブラケット間に架け渡されるよう配設された棚フレームと、
前記棚フレームに配設され、かつ上面が収納対象である商品を載置するための商品載置面を構成する棚板と
を備え、前記収納域に上下方向に沿って複数段設けられるショーケースの商品載置棚において、
前記棚フレームは、前記棚板よりも上方となる部位において後方に突出する態様で設けられ、かつ前記係止孔に進入可能なガイドを備えたことを特徴とするショーケースの商品載置棚。
【請求項２】
前記ガイドは、前記横フレーム部を構成し、かつ上方に向けて延在する垂上部の左右両端部を後方に屈曲させて形成したものであることを特徴とする請求項１に記載のショーケースの商品載置棚。
【請求項３】
前記棚フレームは、前記ブラケットに対して前後方向に沿って移動可能となる態様で係合手段を介して係合して配設されることを特徴とする請求項１又は請求項２に記載のショーケースの商品載置棚。
【請求項４】
前記係合手段は、
前記棚フレームに配設された第１滑動部材の進入を許容し、かつ進入した第１滑動部材を相対的に前後方向に沿って移動可能に支持する縦断面が略コ字状の棚レール部と、
前記ブラケットに配設された第２滑動部材の進入を許容し、かつ進入した第２滑動部材を相対的に前後方向に沿って移動可能に支持する縦断面が略コ字状のブラケットレール部と
が互いに背中合わせとなる態様で接合されて成り、前記棚フレームが前後方向に沿って移動することを許容すること特徴とする請求項３に記載のショーケースの商品載置棚。
【発明の詳細な説明】
【技術分野】
【０００１】
本発明は、ショーケースの商品載置棚に関し、より詳細には、例えばスーパーマーケットやコンビニエンスストア等の店舗に設置され、収納対象となる商品を所望の温度状態に保持するようにしたショーケースの商品載置棚に関するものである。
【背景技術】
【０００２】
従来、例えばスーパーマーケットやコンビニエンスストア等の店舗に設置され、収納対象となる商品を所望の温度状態に保持するようにしたショーケースとして、次のようなものが知られている。
【０００３】
前面に開口が形成されたケース本体の収納域に複数の商品載置棚が上下方向に沿って複数段設けられており、それぞれの商品載置棚に商品が載置されている。また、ケース本体内であって収納域外となる個所には、吸込口を通じて吸い込んだ収納域の内部の空気を冷却する冷却器が配設されており、この冷却器で冷却された空気が吹出口から収納域の内部に吹き出されることにより、商品載置棚に載置された商品が所望の温度状態に調整されることになる。
【０００４】
かかるショーケースにおける商品載置棚には、固定式のものの他に、商品補充の利便性等を考慮したスライド式のものが知られている。このようなスライド式の商品載置棚は、ブラケット、棚フレーム及び棚板を備えて構成されている。
【０００５】
ブラケットは、上記収納域を画成する背面パネルを支持するとともに上下方向に所定間隔で係止孔が形成された支柱に対し、自身の係止片が所定の係止孔に挿入されることで該支柱に支持される左右一対のものである。棚フレームは、ブラケットのそれぞれに対して前後方向に沿って移動可能となる態様で係合手段を介して係合しており、自身の横フレーム部が左右のブラケット間に架け渡されるよう配設されている。棚板は、棚フレームに配設されており、上面が収納対象である商品を載置するための商品載置面を構成している。
【０００６】
このような商品載置棚は、ブラケットの係止片が支柱における所定の係止孔に挿入して該ブラケットが支柱に支持されることで、上述したように上下方向に沿って複数段設けられている。そして、係止孔に挿入される係止片は、ブラケットにおける棚板よりも下方となる部位において後方に突出する態様で設けられていた（例えば、特許文献１参照）。
【先行技術文献】
【特許文献】
【０００７】
【特許文献１】特開平１１−２９９５９６号公報
【発明の概要】
【発明が解決しようとする課題】
【０００８】
ところが、上述したような特許文献１に提案されているようなショーケースの商品載置棚においては、ブラケットの係止片が棚板よりも下方となる部位において後方に突出する態様で設けられていたために、例えば商品載置棚の設置高さを変更するような付替作業を行う場合に次のような問題があった。すなわち、付替対象となる商品載置棚をケース本体（支柱）から一旦取り外して所望の高さ位置に取り付ける際に、作業者がブラケットや棚フレームにより係止片が所望の係止孔に挿入することを視認することが困難となり、結果的に作業が煩雑なものとなってしまう、という問題があった。尚、ここでは商品載置棚の付替作業について述べたが、新たな商品載置棚を所望の高さ位置に取り付ける作業においても同様の問題があることはいうまでもない。
【０００９】
本発明は、上記実情に鑑みて、ケース本体に対する取付作業の容易化を図ることができるショーケースの商品載置棚を提供することを目的とする。
【課題を解決するための手段】
【００１０】
上記目的を達成するために、本発明の請求項１に係るショーケースの商品載置棚は、ケース本体の収納域を画成する背面パネルを支持するとともに上下方向に所定間隔で係止孔が形成された支柱に対し、自身の係止片が所定の係止孔に挿入されることで該支柱に支持される左右一対のブラケットと、自身の横フレーム部が左右のブラケット間に架け渡されるよう配設された棚フレームと、前記棚フレームに配設され、かつ上面が収納対象である商品を載置するための商品載置面を構成する棚板とを備え、前記収納域に上下方向に沿って複数段設けられるショーケースの商品載置棚において、前記棚フレームは、前記棚板よりも上方となる部位において後方に突出する態様で設けられ、かつ前記係止孔に進入可能なガイドを備えたことを特徴とする。
【００１１】
また、本発明の請求項２に係るショーケースの商品載置棚は、上述した請求項１において、前記ガイドは、前記横フレーム部を構成し、かつ上方に向けて延在する垂上部の左右両端部を後方に屈曲させて形成したものであることを特徴とする。
【００１２】
また、本発明の請求項３に係るショーケースの商品載置棚は、上述した請求項１又は請求項２において、前記棚フレームは、前記ブラケットに対して前後方向に沿って移動可能となる態様で係合手段を介して係合して配設されることを特徴とする。
【００１３】
また、本発明の請求項４に係るショーケースの商品載置棚は、上述した請求項３において、前記係合手段は、前記棚フレームに配設された第１滑動部材の進入を許容し、かつ進入した第１滑動部材を相対的に前後方向に沿って移動可能に支持する縦断面が略コ字状の棚レール部と、前記ブラケットに配設された第２滑動部材の進入を許容し、かつ進入した第２滑動部材を相対的に前後方向に沿って移動可能に支持する縦断面が略コ字状のブラケットレール部とが互いに背中合わせとなる態様で接合されて成り、前記棚フレームが前後方向に沿って移動することを許容すること特徴とする。
【発明の効果】
【００１４】
本発明によれば、係止孔に進入可能なガイドが、棚フレームの棚板よりも上方となる部位において後方に突出する態様で設けられているので、商品載置棚の取付作業において、作業者が所定の係止孔に対する係止片の挿入をガイドを介して視認しながら行うことが可能になる。従って、ケース本体に対する取付作業の容易化を図ることができるという効果を奏する。
【図面の簡単な説明】
【００１５】
【図１】図１は、本発明の実施の形態である商品載置棚が適用されたショーケースの内部構造を側方から見た場合を示す断面側面図である。
【図２】図２は、図１に示した商品載置棚の１つを前方側の右側上方より見た場合を示す斜視図である。
【図３】図３は、図２に示した商品載置棚の要部を示すものであり、左側のブラケット近傍の構成を前方側の左側上方より見た場合を示す拡大斜視図である。
【図４】図４は、図２に示した商品載置棚の要部を示すものであり、左側のブラケット近傍の構成を前方側の右側下方より見た場合を示す拡大斜視図である。
【図５】図５は、図２に示した商品載置棚の要部を示すものであり、左側のブラケット近傍の構成を前方側より見た場合を模式的に示す縦断面図である。
【図６】図６は、図２に示した商品載置棚の要部を示すものであり、右側のブラケット近傍の構成を前方側より見た場合を模式的に示す縦断面図である。
【図７】図７は、図３に示したガイド及びその周辺の構成を拡大して示す拡大斜視図である。
【発明を実施するための形態】
【００１６】
以下に添付図面を参照して、本発明に係るショーケースの商品載置棚の好適な実施の形態について詳細に説明する。
【００１７】
図１は、本発明の実施の形態である商品載置棚が適用されたショーケースの内部構造を側方から見た場合を示す断面側面図である。ここで例示するショーケースは、ケース本体１を備えている。
【００１８】
ケース本体１は、前面に開口（前面開口）１ａが形成された略直方状の断熱筐体であり、その内部には収納室（収納域）２が画成してあるとともに、空気循環手段３が設けてある。
【００１９】
収納室２は、上記前面開口１ａを臨む態様で画成された室であり、複数（図示の例では５つ）の商品載置棚２０が上下方向に沿って複数段並べて配設してある。これら商品載置棚２０の構成については後述する。
【００２０】
空気循環手段３は、空気通路４と循環ファンＦとを備えて構成してある。空気通路４は、吸込口５から吹出口６に至る空気の通路である。ここに吸込口５は、収納室２の内部の空気（内部雰囲気）を吸い込むための開口であり、収納室２の左右方向に沿って延設してある。この吸込口５は、収納室２の下側前方縁部、すなわちケース本体１の前面開口１ａ近傍の下部に配設してある。吹出口６は、収納室２の内部に空気を吹き出すための開口である。これら吹出口６は、収納室２の左右方向に延設してあって、収納室２の上側前方縁部、すなわちケース本体１の前面開口１ａ近傍の上部に前後に並設してある。
【００２１】
このような空気通路４は、収納室２外であってその下方にある下方ダクト４ａと、収納室２外であってその背面側にある背面ダクト４ｂと、収納室２外であってその上方にある上方ダクト４ｃとを互いに連通した態様で構成してある。
【００２２】
循環ファンＦは、空気を循環させるものであり、背面ダクト４ｂの所定部位に配設してある。本実施の形態においては、循環ファンＦは背面ダクト４ｂの所定部位に配設してあるが、本発明では、循環ファンＦの配設位置は特に限定されるものではなく、後述する循環ファンＦの機能を発揮することができる個所であればどこに配設しても構わない。
【００２３】
このような空気循環手段３においては、循環ファンＦが駆動することにより吸込口５を通じて収納室２の内部空気を吸い込み、空気通路４を通過する態様で吸い込んだ空気を吹出口６まで送出し、吹出口６を通じて送出した空気を収納室２の内部に吹き出すことにより、ケース本体１の前面開口１ａにエアカーテンを形成しながら収納室２の内部と外部との間で空気を循環させるものである。
【００２４】
上記空気通路４の背面ダクト４ｂには蒸発器（冷却器）７が設けてある。蒸発器７は、図には明示しないが、圧縮機、凝縮器及び膨張機構とともに冷媒を循環させる冷媒循環手段を構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである
【００２５】
蒸発器７は、循環ファンＦが駆動することにより背面ダクト４ｂを下方から上方に向けて通過する空気と、膨張機構で断熱膨張された冷媒とを熱交換させるもの、より詳細には、冷媒を蒸発させることにより背面ダクト４ｂ（空気通路４）を通過する空気を冷却するものである。この蒸発器７で蒸発した冷媒は、再び圧縮機に戻り圧縮されることになる。
【００２６】
図２は、図１に示した商品載置棚の１つを前方側の右側上方より見た場合を示す斜視図である。ここでは、１つの商品載置棚２０について説明するが、他の商品載置棚２０も同様の構成を有している。尚、本実施の形態において右側とはショーケースを正面から見た場合の右方を示し、左側とはショーケースを正面から見た場合の左方を示している。
【００２７】
この図２において符号１０及び１１は、背面パネル及び支柱である。背面パネル１０は、収納室２を画成するもので、その背面を構成している。より詳細には、背面パネル１０は、例えば鋼板等を加工して構成したもので、収納室２と背面ダクト４ｂとを区画するものである。この背面パネル１０には、複数の開口１０ａが形成してあり、背面ダクト４ｂを通過する空気（冷却空気）が該開口１０ａを通じて収納室２に進入することを可能にしている。
【００２８】
支柱１１は、鋼板等を屈曲させて形成したものであり、背面パネル１０の両側域に立設してある。これら支柱１１（左支柱１１Ｌ及び右支柱１１Ｒ）は、背面パネル１０を支持するものであり、更に背面ダクト４ｂの両側部を構成している。つまり背面ダクト４ｂは、前方側が背面パネル１０、後方側がケース本体１の背面、左右側が支柱１１によって区画してある。各支柱１１の前面、すなわち収納室２を臨む面には、上下方向に沿って複数の矩形状の係止孔１２が等間隔で形成してある。
【００２９】
商品載置棚２０は、図２に示すように、ブラケット３０と、棚フレーム４０と、棚板５０とを備えて構成してある。
【００３０】
ブラケット３０は、鋼板等を加工して構成したものであり、それぞれの内面が対向する態様で支柱１１に支持された左右一対のものである。
【００３１】
図３〜図６は、それぞれ図２に示した商品載置棚の要部を示すものであり、図３は左側のブラケット近傍の構成を前方側の左側上方より見た場合を示す拡大斜視図であり、図４は左側のブラケット近傍の構成を前方側の右側下方より見た場合を示す拡大斜視図であり、図５は左側のブラケット近傍の構成を前方側より見た場合を模式的に示す縦断面図であり、図６は右側のブラケット近傍の構成を前方側より見た場合を模式的に示す縦断面図である。以下においては、これら図３〜図６を図２とともに適宜用いながら商品載置棚２０の構成について説明する。
【００３２】
左側のブラケット３０（以下、左ブラケット３０Ｌとも称する）は、左基部３１と右延部３２とを備えて構成してある。左基部３１は、前後方向に沿って延在する長尺状部材である。この左基部３１は、自身の中央部から前端部にかけては、上下幅が略等しいものであり、中央部から後端部にかけては、該後端部に向かうに連れて上下幅が大きくなる態様で下端部が下方に向けて湾曲している。この左基部３１の後端部には、複数の係止片３１１が後方に突出する態様で配設してある。ここで係止片３１１は、図には明示していないが、左基部３１の後端部より後方に向けて延在する後延部と、この後延部の後端より下方に向けて延在する下延部とを有するフック形状を成すものである。
【００３３】
かかる係止片３１１が左支柱１１Ｌの所定の係止孔１２に挿入することで係止片３１１が該左支柱１１Ｌと係止状態となり、これにより左基部３１（左ブラケット３０Ｌ）は該左支柱１１Ｌに支持される。
【００３４】
右延部３２は、左基部３１の上端部に連続しており、かかる上端部より右方に向けて延在するものである。
【００３５】
右側のブラケット３０（以下、右ブラケット３０Ｒとも称する）は、右基部３３と左延部３４とを備えて構成してある。右基部３３は、前後方向に沿って延在する長尺状部材である。この右基部３３は、自身の中央部から前端部にかけては、上下幅が略等しいものであり、中央部から後端部にかけては、該後端部に向かうに連れて上下幅が大きくなる態様で下端部が下方に湾曲している。この右基部３３の後端部には、複数の係止片３３１が後方に突出する態様で配設してある。ここで係止片３３１は、図には明示していないが、右基部３３の後端部より後方に向けて延在する後延部と、この後延部の後端より下方に向けて延在する下延部とを有するフック形状を成すものである。
【００３６】
かかる係止片３３１が右支柱１１Ｒの所定の係止孔１２に挿入することで係止片３３１が該右支柱１１Ｒと係止状態となり、これにより右基部３３（右ブラケット３０Ｒ）は該右支柱１１Ｒに支持される。
【００３７】
左延部３４は、右基部３３の上端部に連続しており、かかる上端部より左方に向けて延在するものである。
【００３８】
このようなブラケット３０においては、それぞれの内面の前端部、すなわち左ブラケット３０Ｌにおける左基部３１の右側面及び右ブラケット３０Ｒにおける右基部３３の左側面の前端部に、複数のブラケットローラ（第２滑動部材）３５が前後に並ぶ態様でネジ等により固定してある。これらブラケットローラ３５は、ネジの軸心回りに回転自在に配設してある。
【００３９】
棚フレーム４０は、左縦フレーム部４１、右縦フレーム部４２、前方横フレーム部４３及び後方横フレーム部４４を備えて構成してある。
【００４０】
左縦フレーム部４１は、前後方向に沿って延在する長尺状部材であり、前方から見た場合にその縦断面が下方が開口したコ字状を成すもので、左水平延在部４１１、左垂下部４１２及び右係合基部４１３を備えて構成してある。
【００４１】
左水平延在部４１１は、左ブラケット３０Ｌの一部の上方域を覆う態様で水平方向に延在する部位である。左垂下部４１２は、左水平延在部４１１の左端部に連続しており、かかる左端部より下方に向けて垂下する部位である。
【００４２】
右係合基部４１３は、左水平延在部４１１の右端部に連続しており、かかる右端部より下方に向けて延在する部位であり、左垂下部４１２よりも下方に向けての延在長さが大きくしてある。この右係合基部４１３の左側面には、複数（図示の例では３つ）の棚ローラ（第１滑動部材）４５が前後に並ぶ態様でネジ等により固定してある。これら棚ローラ４５は、ネジの軸心回りに回転自在に配設してある。
【００４３】
このような左縦フレーム部４１は、係合手段である左レール部材６０を介して左ブラケット３０Ｌに係合してある。
【００４４】
左レール部材６０は、左棚レール部６１と左ブラケットレール部６２とが互いに接合されて構成したものである。
【００４５】
左棚レール部６１は、縦断面が略コ字状をなし、前後方向が長手方向となる長尺棒状体である。この左棚レール部６１は、上下方向に沿って延在する左棚レール基部６１１と、左棚レール基部６１１の上端から右方に向けて延在する左棚上部右延部６１２と、左棚上部右延部６１２の延在端部より下方に向けて僅かに傾斜する左棚右下傾斜部６１３と、左棚レール基部６１１の下端から右方に向けて延在する左棚下部右延部６１４と、左棚下部右延部６１４の延在端部より上方に向けて僅かに傾斜する左棚右上傾斜部６１５とを有して構成してある。ここで左棚上部右延部６１２と左棚下部右延部６１４との離間距離は、棚ローラ４５が進入可能な大きさを有しており、進入した棚ローラ４５は、左棚下部右延部６１４の上面を転動面として前後方向に沿って相対的に移動することになる。また左棚右上傾斜部６１５の傾斜延在長さは、左棚上部右延部６１２と左棚下部右延部６１４との間に進入した棚ローラ４５が左右方向に相対的に移動して抜け出すことを規制することができる大きさに調整してある。また、左棚レール基部６１１における前端部には、左棚上部右延部６１２の下方側であって、左棚下部右延部６１４の上方側となる領域に突出する態様で左棚前方側規制片６１６が配設してある。
【００４６】
左ブラケットレール部６２は、縦断面が略コ字状をなし、前後方向が長手方向となる長尺棒状体である。この左ブラケットレール部６２は、上下方向に沿って延在する左ブラケットレール基部６２１と、左ブラケットレール基部６２１の上端から左方に向けて延在する左ブラケット上部左延部６２２と、左ブラケット上部左延部６２２の延在端部より下方に向けて僅かに延在する左ブラケット左下傾斜部６２３と、左ブラケットレール基部６２１の下端から左方に向けて延在する左ブラケット下部左延部６２４と、左ブラケット下部左延部６２４の延在端部より上方に向けて僅かに延在する左ブラケット左上傾斜部６２５とを有して構成してある。ここで左ブラケット上部左延部６２２と左ブラケット下部左延部６２４との離間距離は、ブラケットローラ３５が進入可能な大きさを有しており、進入したブラケットローラ３５は、左ブラケット下部左延部６２４の上面を転動面として前後方向に沿って相対的に移動することになる。また左ブラケット左上傾斜部６２５の延在長さは、左ブラケット上部左延部６２２と左ブラケット下部左延部６２４との間に進入したブラケットローラ３５が左右方向に相対的に移動して抜け出すことを規制することができる大きさに調整してある。また、左ブラケットレール基部６２１における後端部には、左ブラケット上部左延部６２２の下方側であって、左ブラケット下部左延部６２４の上方側となる領域に突出する態様で左ブラケット後方側規制片６２６が配設してある。
【００４７】
また、左ブラケットレール部６２の左ブラケット上部左延部６２２の後方側には、図示せぬ切欠部が形成してある。この切欠部は、ブラケットローラ３５が通過することが可能な大きさを有している。
【００４８】
これら左棚レール部６１と左ブラケットレール部６２とが、互いに背中合わせとなる態様で、すなわち互いの左棚レール基部６１１と左ブラケットレール基部６２１とが接する態様で溶接接合されて左レール部材６０が構成してある。そして、左レール部材６０の左ブラケットレール部６２における前方側開放端よりブラケットローラ３５を進入させた後、左レール部材６０の左棚レール部６１における後方側開放端より棚ローラ４５を進入させる。これにより左縦フレーム部４１が左ブラケット３０Ｌに左レール部材６０を介在して係合される。
【００４９】
右縦フレーム部４２は、左縦フレーム部４１と左右が反転する以外は同様の構成を有するものであり、しかも左縦フレーム部４１と同様に係合手段である右レール部材６３を介して右ブラケット３０Ｒに係合されている。以下においては、図６を用いながら右縦フレーム部４２の構成について簡単に説明する。
【００５０】
右縦フレーム部４２は、前後方向に沿って延在する長尺状部材であり、前方から見た場合にその縦断面が下方が開口したコ字状を成すもので、右水平延在部４２１、右垂下部４２２及び左係合基部４２３を備えて構成してある。
【００５１】
右水平延在部４２１は、右ブラケット３０Ｒの一部の上方域を覆う態様で水平方向に延在する部位である。右垂下部４２２は、右水平延在部４２１の右端部に連続しており、かかる右端部より下方に向けて垂下する部位である。
【００５２】
左係合基部４２３は、右水平延在部４２１の左端部に連続しており、かかる左端部より下方に向けて延在する部位であり、右垂下部４２２よりも下方に向けての延在長さが大きくしてある。この左係合基部４２３の右側面には、複数の棚ローラ（第１滑動部材）４５が前後に並ぶ態様でネジ等により固定してある。これら棚ローラ４５は、ネジの軸心回りに回転自在に配設してある。
【００５３】
このような右縦フレーム部４２は、係合手段である右レール部材６３を介して右ブラケット３０Ｒに係合してある。右レール部材６３は、右棚レール部６４と右ブラケットレール部６５とが互いに接合されて構成したものである。
【００５４】
右棚レール部６４は、縦断面が略コ字状をなし、前後方向が長手方向となる長尺棒状体である。この右棚レール部６４は、上下方向に沿って延在する右棚レール基部６４１と、右棚レール基部６４１の上端から左方に向けて延在する右棚上部左延部６４２と、右棚上部左延部６４２の延在端部より下方に向けて僅かに傾斜する右棚左下傾斜部６４３と、右棚レール基部６４１の下端から左方に向けて延在する右棚下部左延部６４４と、右棚下部左延部６４４の延在端部より上方に向けて僅かに傾斜する右棚左上傾斜部６４５とを有して構成してある。ここで右棚上部左延部６４２と右棚下部左延部６４４との離間距離は、棚ローラ４５が進入可能な大きさを有しており、進入した棚ローラ４５は、右棚下部左延部６４４の上面を転動面として前後方向に沿って相対的に移動することになる。また右棚左上傾斜部６４５の傾斜延在長さは、右棚上部左延部６４２と右棚下部左延部６４４との間に進入した棚ローラ４５が左右方向に相対的に移動して抜け出すことを規制することができる大きさに調整してある。また、右棚レール基部６４１における前端部には、図には明示しないが、右棚上部左延部６４２の下方側であって右棚下部左延部６４４の上方側となる領域に突出する態様で右棚前方側規制片が配設してある。
【００５５】
右ブラケットレール部６５は、縦断面が略コ字状をなし、前後方向が長手方向となる長尺棒状体である。この右ブラケットレール部６５は、上下方向に沿って延在する右ブラケットレール基部６５１と、右ブラケットレール基部６５１の上端から右方に向けて延在する右ブラケット上部右延部６５２と、右ブラケット上部右延部６５２の延在端部より下方に向けて僅かに延在する右ブラケット右下傾斜部６５３と、右ブラケットレール基部６５１の下端から右方に向けて延在する右ブラケット下部右延部６５４と、右ブラケット下部右延部６５４の延在端部より上方に向けて僅かに延在する右ブラケット右上傾斜部６５５とを有して構成してある。ここで右ブラケット上部右延部６５２と右ブラケット下部右延部６５４との離間距離は、ブラケットローラ３５が進入可能な大きさを有しており、進入したブラケットローラ３５は、右ブラケット下部右延部６５４の上面を転動面として前後方向に沿って相対的に移動することになる。また右ブラケット右上傾斜部６５５の延在長さは、右ブラケット上部右延部６５２と右ブラケット下部右延部６５４との間に進入したブラケットローラ３５が左右方向に相対的に移動して抜け出すことを規制することができる大きさに調整してある。また、右ブラケットレール基部６５１における後端部には、右ブラケット上部右延部６５２の下方側であって、右ブラケット下部右延部６５４の上方側となる領域に突出する態様で右ブラケット後方側規制片６５６が配設してある。
【００５６】
これら右棚レール部６４と右ブラケットレール部６５とが、互いに背中合わせとなる態様で、すなわち互いの右棚レール基部６４１と右ブラケットレール基部６５１とが接する態様で溶接接合されて右レール部材６３が構成してある。そして、右レール部材６３の右ブラケットレール部６５における前方側開放端よりブラケットローラ３５を進入させた後、右レール部材６３の右棚レール部６４における後方側開放端より棚ローラ４５を進入させる。これにより右縦フレーム部４２が右ブラケット３０Ｒに右レール部材６３を介在して係合される。
【００５７】
前方横フレーム部４３は、左縦フレーム部４１の前端部と、右縦フレーム部４２の前端部とを連結する態様で左右方向に沿って延在する長尺状部材である。この前方横フレーム部４３は、例えばリベット等で各縦フレーム部４１，４２に締結してあり、その前端部４３ａは、上方に屈曲させて起立させてある。
【００５８】
後方横フレーム部４４は、左縦フレーム部４１の後端部と、右縦フレーム部４２の後端部とを連結する態様で左右方向に沿って延在する長尺状部材である。この後方横フレーム部４４は、例えばリベット等で各縦フレーム部４１，４２に締結してあり、水平基部４４１と後方垂上部４４２とを備えて構成してある。
【００５９】
水平基部４４１は、左縦フレーム部４１の左水平延在部４１１及び右縦フレーム部４２の右水平延在部４２１の上面にリベット等で締結してあり、これら左水平延在部４１１と右水平延在部４２１とを跨ぐ態様で設けた部位である。この水平基部４４１の左端部４４１ａは、左水平延在部４１１の左端と一致しており、上方に屈曲させてある。また、水平基部４４１の右端部４４１ｂは、右水平延在部４２１の右端と一致しており、上方に向けて屈曲させてある。
【００６０】
後方垂上部４４２は、水平基部４４１の後端部に連続してあり、かかる後端部より上方に向けて延在する部位である。この後方垂上部４４２の左端部４４２ａ及び右端部４４２ｂは、切欠等により舌片状の形態を成している。そして、これら左端部４４２ａ及び右端部４４２ｂの所定個所を後方に向けて屈曲させることで各ブラケット３０の係止片３１１，３３１の直上域にガイド４４３が形成してある。このようなガイド４４３は、係止孔１２に進入可能な大きさを有している。そして、ガイド４４３は、図７に示すように係止片３１１（３３１）が所定の係止孔１２に挿入される場合に、自身も対応する係止孔１２に進入するよう、係止片３３１との離間距離が予め調整してある。
【００６１】
このような棚フレーム４０は、左縦フレーム部４１、右縦フレーム部４２、前方横フレーム部４３及び後方横フレーム部４４により四周枠を形成しており、横フレーム部４３，４４が左右のブラケット３０間に架け渡されるよう配設してある。しかも、棚フレーム４０は、左縦フレーム部４１及び右縦フレーム部４２が左レール部材６０及び右レール部材６３を介して左ブラケット３０Ｌ及び右ブラケット３０Ｒにそれぞれ係合されていることで、ブラケット３０に対して前後方向に沿って移動可能となる態様で配設してある。
【００６２】
棚板５０は、例えばガラス等の透過性材料から形成された矩形状の板状部材であり、棚フレーム４０に設置してある。この棚板５０は、上面が商品を載置する商品載置面を構成しており、棚フレーム４０における前方横フレーム部４３の前端部４３ａにより前方への移動が規制され、後方横フレーム部４４の左端部４４２ａ及び右端部４４２ｂにより左右方向への移動が規制され、該後方横フレーム部４４の後方垂上部４４２により後方への移動が規制されている。
【００６３】
以上のような構成を有する商品載置棚２０においては、棚フレーム４０の後方横フレーム部４４における後方垂上部４４２の左右両端部４４２ａ，４４２ｂにガイド４４３が形成してあり、かかるガイド４４３は、棚フレーム４０に設置される棚板５０よりも上方となる部位にて後方に向けて突出している。
【００６４】
これにより、かかる商品載置棚２０をケース本体１に取り付ける場合に、作業者は、ガイド４４３を所望の係止孔１２に位置合わせすることを目視にて行うことができ、かかるガイド４４３を該係止孔１２に位置合わせすることで、該ガイド４４３の直下域にある係止片３３１をそれぞれ所定の係止孔１２に挿入させることが可能になる。つまり、商品載置棚２０の取付作業において、所定の係止孔１２に対する係止片３３１の挿入をガイド４４３を介して視認しながら行うことが可能になる。
【００６５】
よって、本実施の形態であるショーケースの商品載置棚２０によれば、ケース本体１に対する取付作業の容易化を図ることができる。
【００６６】
上記商品載置棚２０によれば、棚フレーム４０（後方横フレーム部４４）にガイド４４３を形成したことにより、次のような作用効果を奏する。
【００６７】
ブラケットにガイドを形成すると、ガイドを形成する分だけブラケットに対する棚フレームの取付位置が前方側へ移動することとなり、商品載置棚の前後長さが大きくなってしまう。このように商品載置棚の前後長さが大きくなってしまうと、商品載置棚の前端部がケース本体の前面開口に形成される空気の流れ（エアカーテン）を阻害してしまい冷却性能の低下を招来する虞れがある。一方、エアカーテンの阻害を回避するために商品載置棚の前後長さを小さくすれば、商品載置面の面積が縮小されることとなり、結果として商品載置数の低下を招来する虞れがある。これに対し、本実施の形態である商品載置棚２０では、商品載置棚２０の前後長さを大きくすることがないので、前端部でエアカーテンを阻害してしまうことがなく、冷却性能を良好に発揮させることができ、しかも商品載置面の面積を縮小させることもないので、商品載置数の低下を防止することができる。すなわち、本実施の形態である商品載置棚２０によれば、棚フレーム４０（後方横フレーム部４４）にガイド４４３を形成したので、冷却性能の低下、並びに商品載置数の低下を防止することができる。
【００６８】
また、ブラケットは段曲げ加工を施してあるので、ブラケットにガイドを形成すると、係止片とガイドとの間に左右の位置ずれが生ずる虞れがあるが、本実施の形態の商品載置棚２０では、棚フレーム４０にガイド４４３を形成してあるので、係止片３１１，３３１の直上域にガイド４４３を形成することが容易に可能で、これにより係止片３１１，３３１とガイド４４３との間で左右の位置ずれが生ずることを抑制することができ、ケース本体１への取り付けを容易なものとすることができる。
【００６９】
以上、本発明の好適な実施の形態について説明したが、本発明はこれに限定されるものではなく、種々の変更を行うことができる。
【００７０】
例えば、上述した実施の形態では、後方横フレーム部４４の左右両端部４４２ａ，４４２ｂにガイド４４３を形成したが、本発明においては、後方横フレーム部の左端部及び右端部のいずれか一方にガイドを形成したものであってもよいし、後方横フレーム部に限らず、設置される棚板よりも上方となる部位であればどこでも構わない。
【００７１】
また、上述した実施の形態では、棚フレーム４０は、ブラケット３０に対して前後方向に沿って移動可能なものであったが、本発明では、ブラケットに固定され、前後方向に沿っての移動が規制されたものであってもよい。
【産業上の利用可能性】
【００７２】
以上のように、本発明に係る商品載置棚は、収納対象となる商品を所望の温度状態に保持するようにしたショーケースに有用である。
【符号の説明】
【００７３】
１  ケース本体
１ａ  前面開口
２  収納室（収納域）
１０  背面パネル
１１  支柱
１１Ｌ  左支柱
１１Ｒ  右支柱
１２  係止孔
２０  商品載置棚
３０  ブラケット
３０Ｌ  左ブラケット
３０Ｒ  右ブラケット
３１  左基部
３１１  係止片
３３  右基部
３３１  係止片
３５  ブラケットローラ（第２滑動部材）
４０  棚フレーム
４１  左縦フレーム部
４１１  左水平延在部
４１２  左垂下部
４１３  右係合基部
４２  右縦フレーム部
４２１  右水平延在部
４２２  右垂下部
４２３  左係合基部
４３  前方横フレーム部
４４  後方横フレーム部
４４１  水平基部
４４２  後方垂上部
４４２ａ  左端部
４４２ｂ  右端部
４４３  ガイド
４５  棚ローラ（第１滑動部材）
５０  棚板
６０  左レール部材
６１  左棚レール部
６２  左ブラケットレール部
６３  右レール部材
６４  右棚レール部
６５  右ブラケットレール部
【図２】
0005655606.tif 000002
【図３】
0005655606.tif 000003
【図４】
0005655606.tif 000004
【図５】
0005655606.tif 000005
【図６】
0005655606.tif 000006
【図７】
0005655606.tif 000007
【図１】
0005655606.tif 000008